(57)【要約】【課題】生産性に優れた円筒ころ軸受を提供する。【解決手段】本発明は、一対の円環部と、一対の円環部を軸方向に連結する複数の柱部と、隣接する二つの柱部と一対の円環部に形成され、複数の円筒ころを回転自在に保持するポケット部とを有する軸受用保持器であって、柱部の両方の側面に、夫々一つ以上の係止部を設け、かつ、各ポケット部において、係止部は、前記ポケット部の軸方向に対して非対称となっていることを特徴とする円筒ころ軸受用保持器を提供する。【選択図】図１
2012031922.tif 000002
【特許請求の範囲】
【請求項１】
一対の円環部と、前記一対の円環部を軸方向に連結する複数の柱部と、隣接する二つの前記柱部と前記の一対の円環部に形成され、複数の円筒ころを回転自在に保持するポケット部とを有する軸受用保持器であって、
前記柱部の両方の側面に、夫々一つ以上の係止部を設け、かつ、各ポケット部において、前記係止部は、前記ポケット部の軸方向に対して非対称となっていることを特徴とする円筒ころ軸受用保持器。
【請求項２】
前記両側面の係止部は、千鳥状に配置するよう、前記ポケット部の軸方向に対して非対称となっていることを特徴とする請求項１の円筒ころ軸受用保持器。
【請求項３】
前記ポケット部において、一方の柱部には二個の係止部が所定の間隔を設けて形成され、他方の柱部には一個の係止部が形成されることを特徴とする請求項１又は請求項２に記載の円筒ころ軸受用保持器。
【請求項４】
内周面に外輪軌道面を有する外輪と、外周面に内輪軌道面を有する内輪と、前記外輪軌道面と前記内輪軌道面との間に転動可能に配設される複数の円筒ころと、前記請求項１〜３の何れか１項に記載の保持器と、を備えることを特徴とする円筒ころ軸受。
【発明の詳細な説明】
【技術分野】
【０００１】
本発明は、軸受保持器及びそれを用いる円筒ころ軸受に関し、特にポンプ、コンプレッサ、工作機械、鉄鋼等の産業機械に適した軸受に関するものである。
【背景技術】
【０００２】
円筒ころ軸受の各部品を組み立てる際に、ころが保持器内に保持されていないと、ころが保持器のポケットから外れやすい。そこで、従来より、ころを確実に保持器のポケット内に保持する為、保持器の柱部の側面に係止部を設けている。これにより、ころのポケット内における動き量が制限され、ポケットから外れることを防止でき、軸受の組立て作業の効率を向上することができる。（特許文献１,特許文献２）
【０００３】
例えば、特許文献１には、保持器柱の内周側端面に内径方向に突出するリブ壁（係止部）を設ける円筒ころ軸受用の合成樹脂製保持器が開示されている。
【０００４】
また、特許文献２には、軸受の外輪鍔部に相対面してこの鍔部にて案内されるリブを設ける保持器を開示している。この保持器には、保持器柱部の同じ側面に所定の間隔で２つの係止部が形成され、この係止部により、円筒ころを外輪案内型保持器に組立てる際に外輪、ころ、保持器の組立品の軸線に対して倒れることを防止すること解決した。
【先行技術文献】
【特許文献】
【０００５】
【特許文献１】実公平２−４４０９０号公報
【特許文献２】特許公開２００９−２５０４１２号公報
【発明の概要】
【発明が解決しようとする課題】
【０００６】
しかしながら、上記特許文献１に開示された保持器は、柱部側面の中間部に一つだけのリブ壁を設けるので、リブ壁をより短く設計すると、組立て時にころを挿入することが容易になるが、外輪、ころ、保持器の組立品の軸線に対して倒れるおそれがある。一方、リブ壁をより長く設計すると、ころとの接触面が大きくなる為、保持器の保持機能が良くなるが、柱部が分厚くなるので、より大きな力で柱部を弾性変形させないと、ころの挿入が困難であった。
また、上記特許文献２において、保持器柱部の両側面に夫々２つのころ落ち止め部を対称に設けるので、ころの挿入時、柱部が弾性変形しにくく、ころ挿入困難の問題があった。
本発明は、保持器のころ保持不十分及びころの挿入困難という課題を解決することを目的とする。
【課題を解決するための手段】
【０００７】
上記目的を達成する為、本発明請求項１の発明は、一対の円環部と、一対の円環部を軸方向に連結する複数の柱部と、隣接する二つの柱部と一対の円環部に形成され、複数の円筒ころを回転自在に保持するポケット部とを有する軸受用保持器であって、柱部の両方の側面に、夫々一つ以上の係止部を設け、かつ、各ポケット部において、係止部は、ポケット部の軸方向に対して非対称となっていることを特徴とする円筒ころ軸受用保持器を提供する。
本発明請求項２は、各ポケット部内に形成される係止部を千鳥状に配置することを特徴とする保持器を提供する。ここでは、「千鳥状」というのは、同じポケット内に、一方の柱部に設けられる個々の係止部は、お互いに一定な間隔で配置し、他方の柱部に形成される個々の係止部は、上記隣接の係止部の間に形成される空間の中間部に対応する位置に設けられることを意味する。
本発明請求項３は、ポケット部において、一方の柱部には二個の係止部が所定の間隔を設けて形成され、他方の柱部には一個の係止部が形成されることを特徴とする保持器を提供する。
本発明請求項４は、内周面に外輪軌道面を有する外輪と、外周面に内輪軌道面を有する内輪と、前記外輪軌道面と前記内輪軌道面との間に転動可能に配設される複数の円筒ころと保持器と、を備える円筒ころ軸受を提供する。
本発明の保持器は、各種の円筒ころ軸受に利用でき、例えば、外輪つば型、内輪つば型、外輪つば若しくは内輪つばを別体にしたタイプ等のいずれのタイプに取り付けることができる。
また、本発明の保持器の材料は、金属、樹脂、プラスチック等のいずれにしても良い。例えば、価格と機械的強度および化学的安定性等の求められる機能との兼ね合いで、一般用では価格の安いナイロン６６を、高温で使用される場合には高温特性の高いナイロン４６を、特に高い温度特性、化学的安定性、および湿度に対する寸法安定性が要求される場合にはポリフェニレンサルファイド樹脂を、それぞれ母材とすることができる。
【発明の効果】
【０００８】
本発明の保持器は、軸受組立て時にころを容易に保持器のポケット内に挿入するようになる。
【図面の簡単な説明】
【０００９】
【図１】第一の実施形態に係る保持器の係止部配置を説明する為の展開図である。
【図２】図１の保持器の柱部を拡大した部分拡大図である。
【図３】図１の保持器を用いた外輪鍔付き軸受の断面図である。
【発明を実施するための形態】
【００１０】
以下、図１〜３を参照しながら本発明の実施形態について説明する。
図１は、保持器Ｃの一部を示す展開図であって、円筒ころ軸受の円環状保持器が直線状に展開してある。保持器Ｃは、円環部１１,１２と、円環部１１,１２を軸方向に連結する複数の柱部２と、両円環部１１,１２と隣合う柱部２で囲まれた部分で形成されるポケット部３とを有する。保持器の円周方向において各柱部２の側面２１と側面２２に複数の係止部４を設ける。即ち、保持器Ｃの同じポケット部３の窓内において、隣接する二つの柱部２に係止部４が１個対２個で形成されて、千鳥状となっている。さらに、この千鳥状の配置は各ポケット内において同様に重複となっている。
【００１１】
また、本実施形態の保持器はころ案内型であり、図２の部分拡大図に示すように、各係止部４には、円筒ころの外径面形状に対応する形状の摺動面４１が形成されている。そのほか、係止部４には、柱部２の外周面と内周面から突出する突出部４２１,４２２が形成されている。ころをポケット部３から挿入する際に、突出部４２１,４２２の弾性変形が起こり、ころがポケット部３の窓内に保持されるようになる。
【００１２】
更に、保持器Ｃの円周方向において、各係止部４は千鳥状の配置となっている。これにより、ころをポケット部３に挿入する時、隣合う柱部２の弾性変形を起こしやすい部位が異ならせられ、ころを保持器へより挿入しやすくなる。また、本実施形態では、同じポケット部の窓内において、係止部４の１個対２個の配置は、従来の２個対２個の配置形態より柱部２の弾性変形を起こしやすく、ころの保持性能も十分確保できる。
【００１３】
本実施例の場合、外輪つば（ＮＵ）型の鍔付き円筒ころ軸受に本発明の保持器Ｃを適用している。図３に示すように、軸受は、外輪Ａ内周面の軸方向両端部に、内輪Ｂに向けて突出した鍔部５を全周に亙って形成している。
千鳥状の係止部４を柱部に形成された保持器Ｃは、上述の外輪つば型円筒ころ軸受に採用されることにより、軸受組立て時にころを軸受の内径側から挿入しやすくなる。
本実施例には、外輪つば型円筒ころ軸受への取り付け例を示したが、内輪つば（Ｎ）型円筒ころ軸受、外輪のつばを別体にしたタイプの円筒ころ軸受、又は円錐ころ軸受等に取り付けることもできる。
【００１４】
また、本発明の保持器Ｃ及びそれを用いる円筒ころ軸受は、本実施形態に限定するものではなく、本発明の技術的思想から、脱逸しない転用・改良された技術内容についても、本発明の権利範囲に属するものである。  
【産業上の利用可能性】
【００１５】
保持器及びこの保持器を用いた円筒ころ軸受として利用できる。
【符号の説明】
【００１６】
11,12      円環部
2      柱部
21,22    柱部の側面
3      ポケット部
4      係止部
41      摺動面
421,422      突出部
5      鍔
A      外輪
B      内輪
C      保持器
【図１】
2012031922.tif 000003
【図２】
2012031922.tif 000004
【図３】
2012031922.tif 000005